(57)【特許請求の範囲】
【請求項１】
下杭の上端と上杭の下端とを溶接するための溶接装置であって、
中心が杭軸線とほぼ一致するように、前記上下杭からその半径方向に離間した外周位置の地盤上に設置される環状のガイドレールと、
このガイドレール上を走行する台車と、
この台車に設けられ、前記上下杭の半径方向に沿った水平方向及び鉛直方向に移動する移動部材を有する移動機構と、
前記移動部材に連結された倣い検知器であって、前記上下杭間の溶接開先から平行に所定寸法離間した前記上杭又は下杭の外周面に形成された倣い線を倣うことにより、前記上下杭の半径方向に沿った前記台車の水平変位及び鉛直変位を検出する倣い検知器と、
前記上下杭間の溶接開先を所定位置で臨むように前記移動部材に連結された溶接トーチとを備え、
前記倣い検知器が前記台車の水平変位又は鉛直変位を検出したとき、前記移動部材が水平方向又は鉛直方向に移動して、前記溶接トーチが常に前記所定位置にもたらされることを特徴とする溶接装置。
【請求項２】
前記倣い線は前記上杭又は下杭の外周に巻き付けられた定規の端面と、杭外周面との境界線によって形成されることを特徴とする請求項１記載の溶接装置。
【請求項３】
前記移動部材は、水平方向に移動する水平スライダーと、この水平スライダーに連結されて鉛直方向に移動する鉛直スライダーとを備え、
前記水平スライダー及び前記鉛直スライダーの一方に、前記倣い検知器及び前記溶接トーチの双方が連結されていることを特徴とする請求項１又は２記載の溶接装置。
【請求項４】
前記水平スライダー及び前記鉛直スライダーの一方に、前記溶接トーチの前記溶接開先に対する角度位置を調節する角度位置調節機構が連結され、この調節機構に前記溶接トーチが連結されていることを特徴とする請求項３記載の溶接装置。
【請求項５】
前記角度位置調節機構は、前記水平スライダー及び前記鉛直スライダーの一方に鉛直向きであって、かつ内周が前記上下杭を向くように連結された円弧状のガイドプレートと、このガイドプレートに一方の端部が案内されて回動する回動プレートとを備え、この回動プレートの他方の端部に前記溶接トーチが連結されていることを特徴とする請求項４記載の溶接装置。
【請求項６】
前記ガイドプレートに前記倣い検知器が連結されていることを特徴とする請求項５記載の溶接装置。
【発明の詳細な説明】
【技術分野】
【０００１】
この発明は、上下杭の溶接装置に関し、より詳細には杭を継ぎ足すために地盤に先に埋め込まれている下杭に上杭を自動的に溶接するための装置に関する。
【背景技術】
【０００２】
一般に、既製杭は製造上や搬送上の制限があることから、杭長が規格化されている。一方、構造物を構築する際に既製杭を必要とする地盤は種々異なり、支持層までの深度が大きい場合には単一の既製杭では支持層まで到達できない。このように、支持層が深い場合には、複数の既製杭を継ぎ足しながら地盤に埋設するということが行われている。【０００３】
既製杭を継ぎ足すにあたり、先に地盤に埋め込んだ杭（以下、下杭という）と、この下杭に継ぎ足す杭（以下、上杭という）とは、それらの端面すなわち下杭の上端面と上杭の下端面とを突き合わせ、両者を溶接やメカニカル継手等によって固定している。溶接による固定方法は、一般に熟練を要することから、自動化した溶接装置が提案されている（例えば特許文献１、２、３参照）。【０００４】
これら従来の溶接装置は、いずれも上杭と下杭との継ぎ目から平行に離間した上杭又は下杭の外周位置にガイドレールを取付け、このガイドレール上を自走する架台に溶接トーチを設けたものである。しかしながら、ガイドレールは、電動機等を含めて重量のある架台を支持することになるので、ガイドレールが滑り落ちないようにしなければならない。そのためには、ガイドレールを杭外周面に対して強く締め付けるように取り付ける、さらには落下防止手段を設けるなどの対策を講じなければならず、取付けが煩雑で時間を要するという難点がある。【０００５】
また、ガイドレールが上下杭の継ぎ目に対して平行に取り付けられていないと、溶接トーチと溶接開先との間にずれを生じることになる。このため、ガイドレールは取付け位置を調整しながら正確に取り付けなければならず、この点でも取付けに煩雑さを伴う。さらに、上記のように支持層が深い場合には、杭は２本に止まらずそれよりも多い本数を必要とすることがある。このような場合には杭を継ぎ足すごとに溶接が行われるので、その都度ガイドレール及び架台の取付け・取り外しを行わなければならない。
【先行技術文献】
【特許文献】
【０００６】
【特許文献１】特開平６−７１４８５号公報
【特許文献２】特開２００５−３３４９１６号公報
【特許文献３】特許第４０４００７６号公報
【発明の概要】
【発明が解決しようとする課題】
【０００７】
この発明は上記のような技術的背景に基づいてなされたものであって、次の目的を達成するものである。
この発明の目的は、ガイドレールを杭からその半径方向に離間した外周位置に設置することにより、杭外周面へのガイドレールの取付け・取り外しを不要とし、それによって溶接の準備作業を簡単に短時間で行うことができ、しかも地盤が不整地であっても精度良く溶接できる溶接装置を提供することにある。
【課題を解決するための手段】
【０００８】
この発明は上記課題を達成するために、次のような手段を採用している。
すなわち、この発明は、下杭の上端と上杭の下端とを溶接するための溶接装置であって、
中心が杭軸線とほぼ一致するように、前記上下杭からその半径方向に離間した外周位置の地盤上に設置される環状のガイドレールと、
このガイドレール上を走行する台車と、
この台車に設けられ、前記上下杭の半径方向に沿った水平方向及び鉛直方向に移動する移動部材を有する移動機構と、
前記移動部材に連結された倣い検知器であって、前記上下杭間の溶接開先から平行に所定寸法離間した前記上杭又は下杭の外周面に形成された倣い線を倣うことにより、前記上下杭の半径方向に沿った前記台車の水平変位及び鉛直変位を検出する倣い検知器と、
前記上下杭間の溶接開先を所定位置で臨むように前記移動部材に連結された溶接トーチとを備え、
前記倣い検知器が前記台車の水平変位又は鉛直変位を検出したとき、前記移動部材が水平方向又は鉛直方向に移動して、前記溶接トーチが常に前記所定位置にもたらされることを特徴とする溶接装置にある。
ここで、ガイドレールが設置される地盤上とは、ガイドレールを地盤に直接設置する態様、及び他の部材を介して設置する態様の両方を含む概念である。【０００９】
上記溶接装置において、前記倣い線は前記上杭又は下杭の外周に巻き付けられた定規の端面と、杭外周面との境界線によって形成される構成を採用することができる。【００１０】
また、前記移動部材は、水平方向に移動する水平スライダーと、この水平スライダーに連結されて鉛直方向に移動する鉛直スライダーとを備え、
前記水平スライダー及び前記鉛直スライダーの一方に、前記倣い検知器及び前記溶接トーチの双方が連結されている構成を採用することができる。【００１１】
また、前記水平スライダー及び前記鉛直スライダーの一方に、前記溶接トーチの前記溶接開先に対する角度位置を調節する角度位置調節機構が連結され、この調節機構に前記溶接トーチが連結されている構成を採用することができる。【００１２】
前記角度位置調節機構は、具体的には、前記水平スライダー及び前記鉛直スライダーの一方に鉛直向きであって、かつ内周が前記上下杭を向くように連結された円弧状のガイドプレートと、このガイドプレートに一方の端部が案内されて回動する回動プレートとを備え、この回動プレートの他方の端部に前記溶接トーチが連結されている。そして、前記ガイドプレートに前記倣い検知器が連結されている。
【発明の効果】
【００１３】
この発明によれば、杭外周面へのガイドレールの取付け・取り外しが不要となるので、溶接の準備作業を簡単に短時間で行うことができ、しかも地盤が不整地であっても精度良く溶接することができる。
【図面の簡単な説明】
【００１４】
【図１】この発明による溶接装置の全体を示す正面図である。
【図２】同上のものの平面図である。
【図３】台車及びこれに搭載される溶接装置の構成部材を拡大して示す正面図である。
【図４】同上のものの平面図である。
【図５】同上のものの右側面図である。
【図６】図４をさらに拡大して示す平面図である。
【図７】移動機構を拡大し、一部を破断して示す正面図である。
【図８】同上のものの一部を破断して示す平面図である。
【図９】ガイドプレートを拡大して示す右側面図である。
【図１０】倣い検知器及びその取付機構を便宜的に省略して、溶接トーチを示す平面図である。
【図１１】溶接トーチの揺動を示す右側面図である。
【図１２】倣い検知器を示す軸方向断面図である。
【図１３】溶接開始時あるいは溶接中の状態を示す装置の右側面図である。
【図１４】同状態を示す倣い検知器の斜視図である。
【発明を実施するための形態】
【００１５】
この発明の実施形態を図面を参照しながら以下に説明する。図１、図２は、この発明による溶接装置の全体を示し、図１は正面図、図２は平面図である。図３〜図５は、台車及びこれに搭載される溶接装置の構成部材を拡大して示し、図３は正面図、図４は平面図、図５は右側面図である。図６は、図面の理解を容易にするために、図４をさらに拡大して示す平面図である。
【００１６】
溶接装置は、ガイドレール１と、このガイドレール１上を自走する台車２と、この台車２に設けられ、上杭Ｐ1、下杭Ｐ2の半径方向に沿った水平方向及び鉛直方向に移動する移動部材（詳細は後述する）を有する移動機構３と、移動部材に連結された倣い検知器４及び溶接トーチ５（図４参照）とを備えている。下杭Ｐ2は先に地盤に埋め込まれ、この下杭Ｐ2の上端に上杭Ｐ1の下端が溶接される（図１参照）。上下杭Ｐ1、Ｐ2間には溶接のための開先Ｇが形成されている。なお、溶接対象となる杭は既製杭であって鋼管杭はもちろん、鋼製端板を有するコンクリート杭であってもよい。
【００１７】
この実施形態の溶接装置で適用される溶接方式はガスアーク溶接法であり、コイル状に巻かれた溶接ワイヤーＷを繰り出しながら送給するための台車６が、台車２に追従してガイドレール１上を自走するようになっている。
【００１８】
ガイドレール１は、杭Ｐ1、Ｐ2の直径よりも大きく、したがって杭Ｐ1、Ｐ2からその半径方向に離間した位置に設置される円環状のものである。このガイドレール１は、地盤上に設置された矩形の架台７上に載置されている。ガイドレール１の内周には周方向に間隔を置いて複数の芯出しボルト８が設けられ、ガイドレール１は、これらの芯出しボルト８を調整することにより、ガイドレール１の中心と杭軸線とがほぼ一致するように位置決めされる。架台７には周方向に間隔を置いて複数のクランプ部材９が設けられ、位置決めされたガイドレール１は、これらのクランプ部材９により架台７に固定される。
【００１９】
ガイドレール１は、図５に示すように、水平部１ａと鉛直部１ｂとを有する断面Ｌ型のレールであり、台車２は鉛直部１ｂを跨ぐようにガイドレール１に支持されている。ガイドレール１の内周側に位置する台車２の鉛直フレーム２ａには、ガイドピン１０を介して押し付けプレート１１が鉛直部１ｂに接離する方向に移動自在に設けられている。この押し付けプレート１１は、鉛直フレーム２ａに台車２の走行方向に沿って２つ設けられている。
【００２０】
各押し付けプレート１１の鉛直部１ｂと対向する面には、上下２つの転動ボール１２が設けられている。押し付けプレート１１及び鉛直フレーム２ａには、押し付けネジ１３が螺着されている。この押し付けネジ１３を回転させることにより、押し付けプレート１１が鉛直部１ｂに向けて接離し、鉛直部１ｂに向けて接近させると転動ボール１２が鉛直部１ｂを押し付けるようになっている。
【００２１】
台車２内には鉛直方向の軸線を持つローラ１４が支持されている。このローラ１４は２つの押し付けプレート１１に対応して、台車２の走行方向に沿って２つ設けられている。これらのローラ１４はガイドレール１の鉛直部１ｂの外周に接している。各ローラ１４の軸にはフランジ１５が設けられ、このフランジ１５は鉛直部１ｂの上端に係合している。このように、転動ボール１２及びローラ１４によって鉛直部１ｂを挟み込み、かつフランジ１５が鉛直部１ｂの上端に係合することにより、台車２がガイドレール１に走行可能に支持されている。
【００２２】
台車２内には互いに同期して作動する２つの駆動モータ１６が、２つのローラ１４に対応して設けられている。これらの駆動モータ１６の軸にはギヤ１７が設けられ、このギヤ１７はローラ１４の軸に設けられたギヤ１８と噛み合っている。これにより、駆動モータ１６が作動すると、ローラ１４が回転し、台車２が走行するようになっている。なお、台車２は押し付けネジ１３を緩めて、押し付けプレート１１を鉛直部１ｂから離間させることにより、ガイドレール１から容易に取り外すことができる。取り外した台車２を運ぶための握り部１９が、台車２の走行方向前後に設けられている。
【００２３】
移動機構３は、水平移動機構２０と鉛直移動機構２１とからなる。図７、図８は移動機構の詳細を拡大して示している。図７は、フレーム２２、２３を一部破断して示す正面図、図８は図７と同様にフレーム２２、２３を一部破断して示す平面図である。水平移動機構２０のフレーム２２は、支持台座３０を介して台車２に固定されている。水平移動機構２０のフレーム２２内には、水平ボールネジ２４が上下杭Ｐ1、Ｐ2の半径方向（ガイドレール１の半径方向）に沿って水平方向に配置され、フレーム２２に支持されている。この水平ボールネジ２４には、水平スライダー２５がネジ嵌合している。水平ボールネジ２４は駆動モータ２６によって回転し、それにより水平スライダー２５が上下杭Ｐ1、Ｐ2の半径方向に沿った水平方向（以下、適宜Ｘ方向ともいう）に移動する。
【００２４】
水平スライダー２５には鉛直移動機構２１のフレーム２３が固定されている。したがって、フレーム２３は水平スライダー２５とともに、Ｘ方向に移動する。フレーム２３内には、鉛直ボールネジ２７が鉛直方向に配置され、フレーム２３に支持されている。この鉛直ボールネジ２７には、鉛直スライダー２８がネジ嵌合している。鉛直ボールネジ２７は駆動モータ３０によって回転し、それにより鉛直スライダー２８が鉛直方向（以下、適宜Ｙ方向ともいう）に移動する。
【００２５】
鉛直スライダー２８には台車２の前後方向に沿って水平に延びる連結ブラケット３１が固定されている。連結ブラケット３１の先端には、倣い検知器４及び溶接トーチ５を支持するとともに、溶接トーチ５の溶接開先に対する角度位置を調節するための角度位置調節機構５０が連結されている。角度位置調節機構５０は、連結ブラケット３１の先端に固定されたガイドプレート３２と、このガイドプレート３２に取り付けられた回動プレート３３とを備えている。
【００２６】
ガイドプレート３２は円弧状のプレートであり、鉛直向きかつ内周が上下杭Ｐ1、Ｐ2を向くように連結ブラケット３１に固定されている。ガイドプレート３２の内外周は、周縁が尖った断面Ｖ字形に形成されている。また、ガイドプレート３２の連結ブラケット３１と反対側の面には、円弧状のギヤ３５が設けられている。
【００２７】
図９はガイドプレート３２を拡大して示す右側面図である。ガイドプレート３２には、上下杭Ｐ1、Ｐ2の半径方向に沿うように配置された回動プレート３３の一方の端部が取り付けられている。回動プレート３３の一方の端部は拡大部３３ａとなっていて、この拡大部３２ａのガイドプレート３２側の面には、ガイドプレート３２の内周及び外周に嵌まり込むＶ字形の溝付きローラ３４が複数設けられている。したがって、回動プレート３３はガイドプレート３２に案内されて、図９に鎖線位置で示すように、鉛直方向に回動することが可能である。
【００２８】
回動プレート３３のガイドプレート３２と反対側の面には駆動モータ３６が設けられている。この駆動モータ３６の回動プレート３３から突出する軸にピニオン３７が設けられている。ピニオン３７はギヤ３５と噛み合っていて、これにより駆動モータ３６が作動すると、回動プレート３３が適宜角度回動する。
【００２９】
ガイドプレート３２のギヤ３５とは反対側の面には、台車２の前後方向に沿って水平に延びる連結ブラケット３８が設けられ、この連結ブラケット３８上に鉛直バー３９が固定されている。鉛直バー３９には上下杭Ｐ1、Ｐ2の半径方向に沿って水平バー４０が設けられている。水平バー４０の先端部には倣い検知器４の手動による微調整機構４１が設けられている。
【００３０】
微調整機構４１は、水平調整ネジ４２と鉛直調整ネジ４３とからなり、鉛直調整ネジ４３の下端部に倣い検知器４のホルダー４４が設けられている。水平調整ネジ４２及び鉛直調整ネジ４３を回すことにより、倣い検知器４を上下杭Ｐ1、Ｐ2の半径方向に沿った水平方向及び鉛直方向に微少距離移動させることができる。
【００３１】
図１０は、倣い検知器４及びその取付機構を便宜的に省略して、溶接トーチ５を示す平面図である。溶接トーチ５は、鉛直方向に揺動するホルダー４５に支持されている。ホルダー４５は、ギヤボックス４６内に収容された図示しない減速ギヤに連結されている。このギヤボックス４６は回動プレート３３の他方の端部に固定され、減速ギヤは駆動モータ４７に連結されている。この駆動モータ４７を作動させることにより、ホルダー４５が鉛直方向に揺動し、それに伴って図１１に示すように、溶接トーチ５が鎖線で示すように揺動する。これにより、溶接開先Ｇの幅方向全体に亘ってアークを発生させることができる。
【００３２】
溶接トーチ５の後端には連結管４８が設けられている。この連結管４８には溶接ワイヤーＷやシールドガスを供給するためのパイプが接続される。
【００３３】
倣い検知器４は、それ自体は公知のものであり、例えば特公平６−８６０１５号公報に開示されたものを使用することができる。図１２は、この倣い検知器４を示す軸方向断面図である。倣い検知器４は、筒状のケーシング５１と、このケーシング５１の内部に収容されて先端がケーシング５１から突出する検知棒５２を備えている。検知棒５２は、その中間部にボール５３が設けられ、互いに直交する二方向に回動自在に支持されている。
【００３４】
ケーシング５１内には検知棒５２の後端側部分を、回動二方向のうち一方向に付勢するバネ５４が設けられている。また、ケーシング５１内には、検知棒５２の後端に隣接した位置に検出部５５が設けられている。この検出部５５には回動二方向に対応して、それぞれ２つずつの接点５６，５７（図には回動一方向の接点のみを示す）が設けられている。
【００３５】
接点５６は台車２の上昇変位を検出する上昇変位検出接点であり、接点５７は台車２の下降変位を検出する下降変位検出接点である。また図示されていない他の２つの接点は、台車２の水平方向内方及び外方への変位を検出する接点である。これらの接点は、検知棒５２が回動してその後端が接触すると、電気信号を図示しない制御装置に送り、制御装置が移動機構３を作動させる。
【００３６】
以上がこの発明による溶接装置の構成であり、各構成部材が錯綜しているが、倣い検知器４及び溶接トーチ５に関して言えば、要は、複数の部材を介して鉛直スライダー２８に連結され、鉛直スライダー２８と一体となって動作する部材である。
【００３７】
次に上記溶接装置による溶接動作について説明する。図１３は溶接開始時あるいは溶接中の状態を示す装置の右側面図である。図１４は、同状態を示す倣い検知器４の斜視図である。図１４に示すように、倣い検知器４は台車２の走行方向（矢印Ａで示す）前方に向けて傾斜し、かつ検知棒５２の先端５２ａを含む水平面に対して上向きに傾斜するようにホルダ４４に取り付けられる。
【００３８】
また、溶接開始前に上杭Ｐ1の外周には定規５８が巻き付けられる。定規５８としては可撓性を有するバンド、鋼管杭の場合には、例えばマグネットバンドを用いることができる。また、コンクリート杭の場合には巻き付け面に粘着剤層を有する粘着バンドを用いることができる。
【００３９】
定規５８は図１に示すように、溶接開先Ｇと平行となるように溶接開先Ｇから所定寸法離間した上杭Ｐ1の外周面に巻き付けられる。これにより、定規５８の上端面と上杭Ｐ1の外周面との境界線によって倣い線５９が形成される。溶接開始時には、制御装置のシーケンス制御により、水平スライダー２５及び鉛直スライダー２８が順に作動して、倣い検知器４の検知棒５２の先端５２ａが倣い線５９に当接している。この状態において、溶接トーチ５は溶接開先Ｇを臨む所定位置にもたらされている。そして、検知棒５２の先端５２ａと溶接トーチ５の先端とは、杭Ｐ1、Ｐ2の半径方向に沿った同一鉛直面上にあるか、もしくは溶接トーチ５の先端が微少距離後退した位置にある。
【００４０】
また、この状態において、検知棒５２の先端５２ａはバネ５４の付勢力に抗して倣い線５９を下向きに押圧しており、検知棒５２の後端は接点５６，５７及び図示されていない他の２つの接点から遊離している。すなわち、検知棒５２の後端がいずれの接点にも接触していない状態が倣い検知器４のニュートラル位置であって、このニュートラル位置では水平スライダー２５及び鉛直スライダー２８のいずれもが作動しない。
【００４１】
なお、溶接開先Ｇの形状に応じて溶接トーチ５の溶接開先Ｇに対する角度位置を調節する必要がある場合には、溶接開始前に回動プレート３３を所要角度だけ回動させる。
【００４２】
駆動モーター１６の作動により台車２がガイドレール１上の走行を開始すると、同時に溶接トーチ５から供給される溶接ワイヤーＷによってアーク溶接が開始される。また、倣い検知器４も、検知棒５２が倣い線５９を倣いながら上杭Ｐ1の外周を移動する。
【００４３】
ここで、ガイドレール１が設置される地盤が傾斜していたり、あるいは凹凸があると、台車２が鉛直方向に変位する。この鉛直方向変位が生じると、倣い検知器４の検知棒５２が回動し、検知棒５２の後端が上昇変位検出接点５６又は下降変位検出接点５７に接触して、鉛直スライダー２８が作動する。すなわち、台車２が上昇変位した場合は鉛直スライダー２８が下降し、それに伴って溶接トーチ５が下降して溶接開先Ｇを臨む所定位置にもたらされる。
【００４４】
また、台車２が下降変位した場合は鉛直スライダー２８が上昇し、それに伴って溶接トーチ５が上昇して溶接開先Ｇを臨む所定位置にもたらされる。そして、鉛直スライダー２８が上昇又は下降すると、検知棒５２が回動してニュートラル位置となり、鉛直スライダー２８の移動が停止する。
【００４５】
他方、ガイドレールが上下杭Ｐ1、Ｐ2に対して偏心して設置されていると、台車２が上下杭Ｐ1、Ｐ2の半径方向に沿った水平方向に変位する。この水平方向変位が生じると、倣い検知器４の検知棒５２が回動し、検知棒５２の後端が水平方向内方変位接点又は水平方向外方変位接点（前述のように図示されていない）に接触して、水平スライダー２５が作動する。すなわち、台車２が水平方向内方に変位した場合は水平スライダー２５が外方に移動し、それに伴って溶接トーチ５が外方に移動して溶接開先Ｇを臨む所定位置にもたらされる。
【００４６】
また、台車２が水平方向外方に変位した場合は水平スライダー２５が内方に移動し、それに伴って溶接トーチ５が内方に移動して溶接開先Ｇを臨む所定位置にもたらされる。そして、水平スライダー２５が水平方向内方又は外方に移動すると、検知棒５２が回動してニュートラル位置となり、水平スライダー２５の移動が停止する。このように、台車２の走行中において台車２が鉛直方向又は水平方向に変位しても、倣い検知器４がこれを検出し、鉛直スライダー２８又は水平スライダー２５が作動して変位を修正することから、溶接トーチ５は常に溶接開先Ｇを臨む所定位置にもたらされる。
【００４７】
上記実施形態によれば、次のような効果が得られる。
（１）ガイドレールを上下杭Ｐ1、Ｐ2から半径方向に離間した外周位置に設置するので、従来のような杭外周面へのガイドレールの取付け・取り外しが不要となり、溶接の準備作業を簡単に短時間で行うことができる。
（２）杭を２本よりも多い複数本継ぎ足す場合であっても、ガイドレール１及び台車２を設置したままで、溶接作業を行うことができる。
（３）ガイドレール１の設置面が傾斜していたり凹凸があったりしても、あるいはガイドレールと杭軸線が偏芯していたりしても、倣い検知器がこれを検出して溶接トーチの変位を修正するので、精度の良い溶接を行うことができる。
【００４８】
上記実施形態は例示にすぎず、この発明は以下に記すように、種々の態様を採ることができる。
（１）上記実施形態では台車２に水平移動機構２０を固定し、これに鉛直移動機構２１を連結し、さらにこれに倣い検知器４及び溶接トーチ５を連結したが、台車２に鉛直移動機構を固定し、これに水平移動機構を連結し、さらにこれに倣い検知器及び溶接トーチを連結するようにしてもよい。
（２）上記実施形態では上杭に定規５８を巻き付けて倣い線５９を形成したが、下杭に定規を巻き付けて倣い線を形成するようにしてもよい。
（３）倣い線を杭外周面に記し、光学式の倣い検知器で変位を検出するようにしてもよい。
【符号の説明】
【００４９】
１      ガイドレール
２      台車
３      移動機構
４      倣い検知器
５      溶接トーチ
２０      水平移動機構
２１      鉛直移動機構
２５      水平スライダー
２８      鉛直スライダー
３２      ガイドプレート
３３      回動プレート
５０      角度位置調節機構
５２      検知棒
５８      定規
５９      倣い線
Ｇ      溶接開先
Ｐ1       上杭
Ｐ2       下杭
Ｗ      溶接ワイヤー
【要約】
【課題】準備作業を簡単に短時間で行うことができる溶接装置を提供する。
【解決手段】上下杭Ｐ1、Ｐ2からその半径方向に離間した外周位置の地盤上に設置される環状のガイドレール１と、ガイドレール１上を走行する台車２と、台車２に設けられ、上下杭の半径方向に沿った水平方向及び鉛直方向に移動する移動部材を有する移動機構３と、移動部材に連結された倣い検知器４であって、上下杭間の溶接開先Ｇから平行に所定寸法離間した上杭又は下杭の外周面に形成された倣い線５９を倣うことにより、上下杭の半径方向に沿った台車の水平変位及び鉛直変位を検出する倣い検知器４と、上下杭間の溶接開先Ｇを所定位置で臨むように移動部材に連結された溶接トーチ５とを備え、倣い検知器４が台車２の水平変位又は鉛直変位を検出したとき、移動部材が水平方向又は鉛直方向に移動して、溶接トーチが常に所定位置にもたらされる。
【選択図】図１【図１】
0005690456.tif 000002
【図２】
0005690456.tif 000003
【図３】
0005690456.tif 000004
【図４】
0005690456.tif 000005
【図５】
0005690456.tif 000006
【図６】
0005690456.tif 000007
【図７】
0005690456.tif 000008
【図８】
0005690456.tif 000009
【図９】
0005690456.tif 000010
【図１０】
0005690456.tif 000011
【図１１】
0005690456.tif 000012
【図１２】
0005690456.tif 000013
【図１３】
0005690456.tif 000014
【図１４】
0005690456.tif 000015